(57)【要約】【課題】繰り返し簡単に使用出来、環境に優しく、資源の無駄をなくし、安価で丈夫で、経済的な傘収納袋を提供する。【解決手段】筒袋２と屈折袋３とよりなる傘収納袋１において、筒袋２の漸小側開口部４に対向する屈折袋３の開口部５は突出面を形成し筒袋２の漸小側開口部４を掩覆し、筒袋２の任意位置には紐通し６が固着され、該紐通し６に挿通された紐体７の一端は屈折袋３の先端部に固着され、他端は掛け具８に繋着されている。【選択図】図２
2011240095.tif 000002
【特許請求の範囲】
【請求項１】
筒袋と屈折袋とよりなる傘収納袋において、筒袋の漸小側開口部に対向する屈折袋の開口部は突出面を形成し筒袋の漸小側開口部を掩覆し、筒袋の任意位置には紐通しが固着され、該紐通しに挿通された紐体の一端は屈折袋の先端部に固着され、他端は掛け具に繋着されていることを特徴とする傘収納袋。
【請求項２】
筒袋の漸大側開口部に開口補助片を装着したことを特徴とする請求項１記載の傘収納袋。
【発明の詳細な説明】
【技術分野】
【０００１】  本発明は、雨に濡れた傘を収納し、屋内において床面を濡らすことなく携行出来る傘収納袋に関する。
【背景技術】
【０００２】  従来、雨で濡れた傘の屋内携行は、床面に水滴落下を防ぐため、入口に備え付けたビニール袋に傘を収納し屋内を携行するのが主流であった。【０００３】  又、このビニール袋の口を開き、片手で傘をビニール袋に収納することが出来る装置はあった。
【発明の概要】
【発明が解決しようとする課題】
【０００４】  上記、濡れ傘を収納するビニール袋の使用で、手でビニール袋の口を開けて傘を収納する場合、傘の水滴が手に付き不快であった。【０００５】  片手で、濡れ傘を収納出来るビニール袋の口を開く装置は高価であり、また不具合が生ずることもあって、定期的なメンテナンスを必要とし、ランニングコストがかかっていた。【０００６】  このビニール袋は薄いため、携行中に傘を床に突いたりすると穴が明き、床面に水滴が漏れ出し、滑って転倒事故を起こす危険もあった。【０００７】  ビニール袋は使い捨てのため、使用後の捨て場はゴミの山と化し、片付けも大変な労力を必要としていた。【０００８】  更に、このビニール袋は使用後廃棄物として処理しなければならず、大変な資源の無駄と地球環境に悪影響を与えていた。【０００９】  本発明は、斯かる事情に鑑みてなされたもので、従来の前記問題を一挙に解決することが出来る、雨に濡れた傘を収納する傘収納袋を提供することを目的としている。
【課題を解決するための手段】
【００１０】  前記目的を達成するために、請求項１の発明は、筒袋と屈折袋とよりなる傘収納袋において、筒袋の漸小側開口部に対向する屈折袋の開口部は突出面を形成し筒袋の漸小側開口部を掩覆し、筒袋の任意位置には紐通しが固着され、該紐通しに挿通された紐体の一端は屈折袋の先端部に固着され、他端は掛け具に繋着されていることを特徴とする。【００１１】  また請求項２の発明は、請求項１の傘収納袋で、筒袋の漸大側開口部に開口補助片を装着したことを特徴とする。
【発明の効果】
【００１２】  請求項１の発明によれば、濡れた傘を傘収納袋に収納すると、屈折袋には傘の石つき部と略ロクロ周辺の布張り部が収納され、他の部分は筒袋に収納される。【００１３】  筒袋の漸小側開口部に対向する屈折袋の開口部は突出面を形成し、この突出面が筒袋の漸小側開口部を掩覆し、筒袋の漸大側から漸小側へ垂れる水滴のうち、突出面側の水滴はこの突出面が受け、外部への流出を防ぎ屈折袋に誘導する。他側は筒袋と屈折袋と一体であるため水滴が外に流出することはない。【００１４】  屈折袋の先端部には筒袋に固着された紐通しに挿通された紐体の一端が固着され他端は掛け具に掛着されている。この掛け具をスタンドアーム部に掛け、傘収納袋を懸吊すると筒袋は紐体を介して自重で下降する。このとき屈折袋の先端部には紐体が固着されているため、この屈折袋の紐体固着部を中心として屈折袋は略１８０°回転する。このため屈折袋の向きが変わり、その開口部が下向きとなる。これにより屈折袋の溜り水が吐出され、筒袋に付着している水滴も外に垂れ落ちる。【００１５】  この懸吊された傘収納袋は、屈折袋の開口部が常に下向きになっている。このため使用するときは、筒袋の漸小側開口部まで、つまり屈折袋の折れ部付近まで傘を差し込み、これより傘を引き上げれば、傘と傘収納袋はその接触面の摩擦により一体となって傘収納袋も一緒に引き上げられ、掛け具がスタンドアーム部から外れ携行可能となる。このとき屈折袋は自重により１８０°回転し屈折袋の開口部は上向きとなり、筒袋の漸大側からの水滴を受ける状態となる。更に傘を差し込むと石つき部及びその周辺部が屈折袋に位置し傘全体が収納される。【００１６】  請求項２の発明によれば、傘収納袋において筒袋の漸大側開口部の開口を容易にするため開口補助片が装着されている。【００１７】  傘収納袋の懸吊を、筒袋の漸大側開口部が開く方向に屈折袋側の位置をずらし、斜めに懸吊すると、筒袋の漸大側開口部に装着した開口補助片が、重力により開口する方向に移動するため、容易に開口部が開き、一段と傘の収納が容易にできる。【００１８】  よって見込まれる数量の傘収納袋を用意し、入口に準備すれば、利用者は使用後、元の状態に戻すことにより順次に何回でも使用できる。このように簡単に収納が出来、経済的で地球環境に優しく、丈夫で安価な傘収納袋を提供出来る。又、懸吊したその状態での保管で自然乾燥が出来るので、改まって乾燥させるための作業を必要としない。
【図面の簡単な説明】
【００１９】
【図１】  本発明による傘収納袋に傘を収納した状態を示し一部を破断した斜視図
【図２】  本発明による傘収納袋を懸吊した状態を示す斜視図
【図３】  本発明による傘収納袋を複数スタンドアームに懸吊した状態を示す斜視図
【発明を実施するための形態】
【実施例】
【００２０】  本発明の実施の形態を添付図面に例示した本発明の実施例に基づいて、以下に具体的に説明する。【００２１】  まず図１は、筒袋２と屈折袋３とよりなる傘収納袋１に傘１１を収納した状態を示し、筒袋２の漸小側開口部４に対向する屈折袋３の開口部５は突出面を形成し、筒袋２の漸小側開口部４を掩覆している。これにより筒袋２の漸大側から垂れ落ちる水滴のうち、屈折袋３の開口部５側の筒袋２から垂れ落ちる水滴は、この突出面５が受け屈折袋３に誘導する。このため水滴が屈折袋３の開口部５から外に漏れ出ることはない。他側の筒袋２から垂れ落ちる水滴は筒袋２と屈折袋３とが一体であるためそのまま屈折袋３に流れ外への漏れはない。【００２２】  図２は傘収納袋１を懸吊した状態を示し、この傘収納袋１は筒袋２が紐体７を介して自重で下降し、屈折袋３はその先端に固着されている紐体７に押さえられ、筒袋２の漸小側開口部４より折れた状態で屈折袋３の開口部５が下向きとなっている。これにより溜り水が吐出され筒袋２に付着している水滴も外へ垂れ落ちる。【００２３】  図３はスタンドアーム部１２に複数の傘収納袋１を懸吊した状態を示し、スタンドアーム部１２を前倒することにより、傘収納袋１はスタンドアーム部１２の勾配を滑り常に先端方向へ次々と順次移動する。【００２４】  傘収納袋１の懸吊で、筒袋２の漸大側開口部９が開く方向に斜めに傘収納袋１を懸吊すると、筒袋２の漸大側開口部９に装着した開口補助片１０が自然原理により筒袋２の漸大側開口部９を開く方向に力が働くため、傘１１を差し込み易くなり、傘１１を片手で簡単に収納できる。【００２５】  以上本発明の実施例について説明したが、本発明はその実施例に限定されることはなく、本発明の範囲内で種々の実施例が可能である。例えば、前記実施例では、「紐体７を介して」としているが、これは帯状であっても良く、「筒袋２の漸大側開口部９に装着した開口補助片１０」としているが、これは漸大側開口部９を一体成型してもよく、材質や形状を限定するものでない。更に「他の面の水滴は筒袋２と屈折袋３とが一体であるから」としているが筒袋２と屈折袋３を着脱可能に分離してもよい。またここでの「屈折袋３」とは筒袋２より折れ上下の向きが変わる部分を指す。
【符号の説明】
【００２６】  １・・・傘収納袋
２・・・筒袋
３・・・屈折袋
４・・・筒袋の漸小側開口部
５・・・屈折袋の開口部
６・・・紐通し
７・・・紐体
８・・・掛け具
９・・・筒袋の漸大側開口部
１０・・・開口補助具
１１・・・傘
１２・・・スタンドアーム部
【図１】
2011240095.tif 000003
【図２】
2011240095.tif 000004
【図３】
2011240095.tif 000005